(57)【要約】【課題】停電からの復帰時において、スイッチング手段に過大な電流が流れることを防止しつつ、出力電圧を速やかに回復する直流電源装置を提供する。【解決手段】スイッチング手段４を用いて交流電源１を、リアクタ２を介して短絡・開放し、負荷７に直流電圧を供給する直流電源装置であって、交流電源１からの入力電流を検出する入力電流検出手段３と、前記直流電圧を検出する出力電圧検出手段１０と、交流電源１の電圧位相を検出する電圧位相検出手段（９ａ、９ｂ）とを備え、前記入力電流検出手段３によって検出される入力電流が略正弦波状の目標電流波形となるようにＰＷＭ制御によるスイッチング動作を行い、前記交流電源１の電圧位相ごとに、ＰＷＭ制御におけるデューティ比の制限値が設けられ、かつ、前記制限値は、交流電源１のゼロクロス付近で最も大きく、交流電源１の電圧がピークとなる電圧位相付近において最も小さな値に設定する。【選択図】図１
2010273490.tif 000002
【特許請求の範囲】
【請求項１】
スイッチング手段を用いて交流電源を、リアクタを介して短絡・開放し、負荷に直流電圧を供給する直流電源装置であって、交流電源からの入力電流を検出する入力電流検出手段と、前記直流電圧を検出する出力電圧検出手段と、交流電源の電圧位相を検出する電圧位相検出手段と、前記入力電流検出手段によって検出される入力電流が略正弦波状の目標電流波形となるようにスイッチング手段をＰＷＭ制御する電流制御部と、前記出力電圧検出手段によって検出される直流電圧が所定の目標電圧となるように前記目標電流波形の振幅を調整する電圧制御部とを備えた直流電源装置において、前記交流電源の電圧位相ごとに、ＰＷＭ制御におけるデューティ比の制限値が設けられ、かつ、前記制限値は、交流電源のゼロクロス付近で最も大きく、交流電源の電圧がピークとなる電圧位相付近において最も小さな値に設定されることを特徴とする直流電源装置。
【請求項２】
前記デューティ比の制限値は、前記目標電圧が高くなるほど大きな値となるように、予め目標電圧ごとに設定、もしくは予め定められた演算式をもとに補正されることを特徴とする請求項１に記載の直流電源装置。
【請求項３】
前記電圧位相検出手段は、交流電源の瞬時電圧と所定の比較電圧との大小関係に基づいて出力される二値信号を入力とし、前記二値信号の周期に基づいて、交流電源の周期と電圧位相とを推定することを特徴とする請求項１または２に記載の直流電源装置。
【請求項４】
前記電圧位相検出手段は、前記二値信号の周期が所定の範囲から外れた場合に、最後に交流電源の電圧位相を推定した時刻をＴ０として、時刻Ｔ０からの経過時間と、時刻Ｔ０以前に得られた交流電源の周期とを用いて、交流電源の電圧位相推定を継続して行うことを特徴とする請求項３に記載の直流電源装置。
【請求項５】
前記電圧位相検出手段は、前記二値信号の周期が所定の範囲から外れた状態が、所定時間を超えて継続した場合に、前記スイッチング手段の短絡動作を停止することを特徴とする請求項４に記載の直流電源装置。
【発明の詳細な説明】
【技術分野】
【０００１】
本発明は、スイッチング手段を用いて交流電源を、リアクタを介して短絡・開放することにより、交流電源からの交流電圧を直流電圧に変換して負荷へ供給する直流電源装置に関する。
【背景技術】
【０００２】
従来、空気調和機等の電気機器に用いられる直流電源装置として、図６に示すように、スイッチング手段（スイッチング素子２１）を用いて交流電源１を、リアクタ２（インダクタ）を介して短絡・開放することにより、交流電源１からの交流電圧を直流電圧に変換して負荷７へ供給するアクティブフィルタと呼ばれるスイッチング方式の直流電源装置がよく知られている（例えば、特許文献１および２を参照）。
【０００３】
例えば、特許文献１や特許文献２等にて開示された従来のアクティブフィルタによれば、昇圧チョッパの原理を用いて入力電流波形を略正弦波状に制御することができるので、電源装置の力率改善だけでなく、出力電圧の昇圧作用と電源高調波の抑制とをあわせて実現することができる。
【０００４】
しかしながら、上記開示内容は、交流電源電圧が正常な場合の挙動であり、停電およびその復帰時における具体的な制御方法については開示されていない。
【０００５】
一般に、交流電源からの入力電流を略正弦波状に制御するために、目標電流と入力電流の差（入力電流偏差）に基づくＰＩ（比例積分）制御による電流フィードバック制御が行われる。電流フィードバック制御では、入力電流が略正弦波状の目標電流波形となるように、不等幅パルス幅変調（ＰＷＭ）におけるデューティ比制御が行われる。
【０００６】
しかしながら、停電時においては、スイッチング動作を行っても交流電源より入力電流を流すことはできないため、停電後速やかに電流フィードバック制御を停止もしくは目標電流をゼロとしなければ、フィードバック制御によりデューティ比は増大を続け、一方、直流電源装置の出力電圧（直流電圧）は、負荷への電力供給に伴って低下し続ける。
【０００７】
さらに、従来のアクティブフィルタでは、一般に、出力電圧が目標電圧と等しくなるように、電圧フィードバック制御によって、入力電流の目標電流値が制御されることから、出力電圧偏差の拡大に伴ってさらに目標電流値が大きくなり、その結果、入力電流偏差が増大し、停電継続中、ＰＷＭ制御におけるデューティ比は上昇し続けることになる。
【０００８】
上記現象は、停電時間が長くなるほど、復電時におけるデューティ比が大きな値となることから、停電を検出してスイッチング動作を停止しない場合、停電時間が長いほど、停電からの復帰時（復電時）に大きな電流が流れやすく、特に交流電圧位相のピーク付近において復電した場合には、スイッチング素子２１に過大な電流が流れる恐れがある。
【０００９】
上記現象に対し、さらに、交流電源の異常時にスイッチング素子に過大な電流が流れるのを防止することが可能な従来の直流電源装置として、特許文献３（図示せず）において、交流電源の電圧極性に基づいてパルス信号を検出する電圧極性検出手段を備え、パルス信号の幅や周期が正常範囲から外れた場合に、スイッチング動作を停止し、復電時には、交流電源のゼロクロス点よりスイッチング動作を復帰させることでスイッチング素子に過大な電流が流れるのを防止する技術が開示されている。（特許文献３を参照）
【先行技術文献】
【特許文献】
【００１０】
【特許文献１】特開平１−１４８０７０号公報
【特許文献２】特許第３１３９６８２号公報
【特許文献３】特開２００１−３２０８８２号公報
【発明の概要】
【発明が解決しようとする課題】
【００１１】
しかしながら、上記特許文献３に記載された従来の直流電源装置は、停電等の交流電源の異常時にいったんスイッチング動作を停止し、交流電源のゼロクロス点よりスイッチング動作を再開するため、電源周期よりも短い瞬時停電の場合においても、復電してから出力電圧が回復するまでに若干の時間が必要であった。
【００１２】
本発明は、上記従来の課題を解決するもので、復電時においてスイッチング手段に過大な電流が流れるのを防止しつつ、特に短時間の停電に対して、復電後速やかに出力電圧の回復が可能な直流電源装置を提供することを目的とする。
【課題を解決するための手段】
【００１３】
前記従来の課題を解決するために、本発明の直流電源装置は、スイッチング手段を用いて交流電源を、リアクタを介して短絡・開放し、負荷に直流電圧を供給する直流電源装置において、交流電源からの入力電流を検出する入力電流検出手段と、前記直流電圧を検出する出力電圧検出手段と、交流電源の電圧位相を検出する電圧位相検出手段と、前記入力電流検出手段によって検出される入力電流が略正弦波状の目標電流波形となるようにスイッチング手段をＰＷＭ制御する電流制御部と、前記出力電圧検出手段によって検出される直流電圧が所定の目標電圧となるように前記目標電流波形の振幅を調整する電圧制御部とを備え、さらに、前記交流電源の電圧位相ごとに、ＰＷＭ制御におけるデューティ比の制限値を設けるものであり、かつ、前記制限値は、交流電源のゼロクロス付近で最も大きく、交流電源の電圧がピークとなる電圧位相付近において最も小さな値に設定されるものである。
【００１４】
前記デューティ比の制限値は、最大出力電圧かつ最大負荷時においても負荷への電力供給に十分なデューティ比を確保しつつ、交流電源電圧が高い電圧位相ほど低い値に予め設定されるので、停電時に入力電流が流れない状態が続いてもＰＷＭ制御のデューティ比は上記制限値によって制限されるため、交流電源の電圧ピーク付近の位相において復電した場合においてもＰＷＭ制御におけるデューティ比が過大になるのを防止することができる。
【発明の効果】
【００１５】
本発明の直流電源装置は、交流電源の電圧位相に応じてＰＷＭ制御におけるデューティ比の制限値（最大値）を設けてデューティ比の制限を行うので、停電の際に電流フィードバックによってデューティ比が過大な値となるのを防ぐことができ、復電時においてスイッチング手段に過大な電流が流れることを防止することができる。
【００１６】
また、出力電圧の目標電圧に応じて、ディーティ比の制限値を補正することによって、デューティ比の制限値を、負荷への電力供給に必要十分な値でかつ、より低い値に設定することができるので、復電時に流れうる電流をより小さく制限することができる。
【図面の簡単な説明】
【００１７】
【図１】本発明の実施の形態１における直流電源装置の構成を示す図
【図２】本発明の実施の形態１における直流電源装置のゼロクロス検出手段９ａの出力（二値信号）を示す図（ａ）二値信号の一例を示す図（ｂ）二値信号の別の一例を示す図
【図３】本発明の実施の形態１における直流電源装置の交流電源電圧とデューティ比の制限値との関係の一例を示す図（ａ）交流電源１の交流電圧を示す図（ｂ）デューティ比の制限値を示す図
【図４】本発明の実施の形態１における直流電源装置の瞬時停電時における挙動を示す図（ａ）交流電圧および入力電流の電流指令の変化の一例を示す図（ｂ）ＰＷＭ制御におけるデューティ比の変化およびその制限値を示す図
【図５】本発明の実施の形態１における直流電源装置の別の回路構成を示す図（ａ）第１の別の回路構成を示す図（制御部を除く）（ｂ）第２の別の回路構成を示す図（制御部を除く）
【図６】従来の直流電源装置の構成を示す図
【発明を実施するための形態】
【００１８】
第１の発明は、スイッチング手段を用いて交流電源を、リアクタを介して短絡・開放し、負荷に直流電圧を供給する直流電源装置において、交流電源からの入力電流を検出する入力電流検出手段と、前記直流電圧を検出する出力電圧検出手段と、交流電源の電圧位相を検出する電圧位相検出手段と、前記入力電流検出手段によって検出される入力電流が略正弦波状の目標電流波形となるようにスイッチング手段をＰＷＭ制御する電流制御部と、前記出力電圧検出手段によって検出される直流電圧が所定の目標電圧となるように前記目標電流波形の振幅を調整する電圧制御部とを備え、さらに、前記交流電源の電圧位相ごとに、ＰＷＭ制御におけるデューティ比の制限値を設けるものであり、かつ、前記制限値は、交流電源のゼロクロス付近で最も大きく、交流電源の電圧がピークとなる電圧位相付近において最も小さな値に設定されるものである。
【００１９】
交流電源電圧の絶対値が大きな電圧位相ほど、ＰＷＭのデューティ比の最大値を小さな値に制限することによって、交流電源のいかなる電圧位相において復電する場合についても、交流電源の電圧位相に応じて予め設定されたデューティ比によって制限されるため、過大なデューティ比でのスイッチング動作を防ぐことによって、復電時にスイッチング手段に過大な電流が流れることを防止することができる。
【００２０】
第２の発明は、第１の発明において、前記制限値を、前記目標電圧が高くなるほど大きな値となるように、予め設定、もしくは予め定められた基準値をもとに補正するものである。
【００２１】
これによって、デューティ比の制限値設定に際して、目標電圧の変動に見合うデューティ相当分の設計マージンを小さくして設定することができるので、復電時にスイッチング手段に流れる可能性のある最大電流値をさらに低減することができる。
【００２２】
第３の発明は、特に第１の発明において、前記電圧位相検出手段を、交流電源の瞬時電圧と所定の比較電圧との大小関係に基づいて出力される二値信号を入力とし、前記二値信号の周期に基づいて交流電源の周期と電圧位相とを推定する手段とするものであり、これにより、簡単な構成で、第１の発明同様の効果を得ることができる。
【００２３】
第４の発明は、第３の発明において、前記二値信号の周期が所定の範囲から外れた場合に、最後に交流電源の電圧位相を推定した時刻をＴ０として、時刻Ｔ０からの経過時間と、時刻Ｔ０以前に得られた交流電源の周期とを用いて、交流電源の電圧位相推定を継続して行うものであり、これによって、簡単な構成で、停電中に復電した場合の交流電圧位相を継続して精度よく推定することができるので、停電からの復帰時において、スイッチング手段に流れる電流値を抑制するために必要なデューティ比の制限値を適切な値に常に保
つことができる。
【００２４】
第５の発明は、第４の発明において、前記二値信号の周期が所定の範囲から外れた状態が、所定時間を超えて継続した場合には、前記スイッチング手段のスイッチング動作を停止するものであり、タイマ誤差の累積等によって、復電時の交流電源の電圧位相推定における精度が十分に確保できないほど長時間の停電が生じた場合においても、スイッチング手段に過大な電流が流れるのを確実に防止するものである。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における直流電源装置の構成を示す図である。
【００２７】
図１に示すように、本発明における直流電源装置は、交流電源１の一端に接続されたリアクタ２と、交流電源１からの入力電流を検出する入力電流検出手段３と、リアクタ２を介して交流電源１を短絡・開放する双方向性のスイッチング手段４と、スイッチング手段４の両端にその交流入力端が接続された整流回路５と、整流回路５の直流出力端間に接続された平滑コンデンサ６を具備し、直流電圧を負荷７へ供給する。
【００２８】
本実施の形態１におけるスイッチング手段４は、双方向性のものであればよく、例えばよく知られた構成として、ダイオードブリッジとそのダイオードブリッジの直流出力端子間に接続されたＩＧＢＴや、互いに逆方向に直列接続された２個のパワーＭＯＳＦＥＴ等にて構成される。
【００２９】
さらに、本発明の直流電源装置は、マイクロコンピュータなどから構成されてスイッチング手段４の制御を行う制御手段８と、交流電源１の両端に接続されて、交流電源１の瞬時電圧と予め定められた比較電圧との大小関係に基づいて二値信号を出力するゼロクロス検出回路９ａと、制御手段８内に設けられてゼロクロス検出回路９ａからの二値信号に基づいて、交流電源１の電圧位相を推定する電圧位相推定部９ｂとで構成される電圧位相検出手段（９ａ、９ｂ）を備える。
【００３０】
さらに、本発明の直流電源装置は、負荷７へ供給される直流電圧を検出する出力電圧検出手段１０を備え、直流電圧が目標電圧に等しくなるように比例積分補償演算を行う電圧制御部１１を備える。
【００３１】
制御手段８は、電圧位相演算部９ｂによって得られる交流電圧位相と、基準電流波形に基づいて算出される電流値と、電圧制御部１１からの出力とを乗算することによって、電流指令（目標電流の瞬時値）を生成する電流指令生成部１２と、入力電流検出手段３から得られる入力電流の瞬時値が電流指令値と等しくなるように補償演算を行う電流制御部１３を備える。
【００３２】
さらに制御手段８は、交流電源１の交流電圧位相ごとに予め定められたデューティ比の制限値が記憶されたデューティ比制限値記憶部１４ａと、電圧位相演算部９ｂによって検出された交流電源１の電圧位相に対応するデューティ比の制限値をデューティ比制限値記憶部１４ａに記憶された制限値を選択するデューティ比制限値演算部１４ｂと、電流制御部１３によって生成されたデューティ比を上記デューティ比の制限値以下に制限するデューティ比制限部１４ｃと、搬送波生成部１５とを備えるとともに、デューティ制限部１４ｃによって最大値を制限された、電流制御部１３の出力と搬送波生成部１５からの搬送波とを比較してスイッチング手段４のＰＷＭ駆動信号を生成するＰＷＭ信号生成部１６を備
え、ＰＷＭ信号生成部１６によって出力された駆動信号によってスイッチング手段４のオン・オフ制御を行う。
【００３３】
なお、図中、制御手段８内において、Ａ／Ｄ変換回路等で構成される直流電圧および入力電流の検出部分については、簡単のため表記を省略している。
【００３４】
以後、各部における詳細内容について記述する。
【００３５】
図２（ａ）は、ゼロクロス検出回路９ａにおける二値信号１７の一例を示す図である。
【００３６】
ゼロクロス検出回路９ａは、フォトカプラとダイオード、抵抗等によって構成されて、十分に小さな正の値に設定された比較電圧１８以上の場合にＨｉ、比較電圧以下の場合にＬｏを出力することによって、図２（ａ）に示すように、交流電源１の電圧が正の期間にＨｉ、負の期間にＬｏと見なすことが可能な二値信号１７を出力する。
【００３７】
電圧位相推定部９ｂは、ゼロクロス検出回路９ａからの二値信号１７がＬｏからＨｉになる時刻を交流電源１のゼロクロス点（０度位相）とし、二値信号１７の周期から交流電源１の周期Ｔを得、周期Ｔを３６０度相当位相とみなして均等分割することによって、交流電源１の電圧位相を推定する。
【００３８】
また、ゼロクロス検出回路９ａの別の例として、図２（ｂ）のように、交流電源１の電圧がゼロよりも十分大きな正の値に設定された比較電圧１８以上の場合にＨｉ，所定の電圧以下の場合にＬｏを出力する場合には、電圧位相推定部９ｂは、ゼロクロス検出回路９ａからの二値信号１７の正のパルスの中央を交流電源１の９０度位相とし、その９０度位相点からの経過時間と、交流電源１の周期Ｔとを用いて、交流電源１の電圧位相を推定してもよい。
【００３９】
図３は、本発明の実施の形態１における直流電源装置の交流電源電圧とデューティ比の制限値との関係の一例を示す図である。
【００４０】
図３（ａ）は、ＡＣ２００Ｖの場合における交流電源１の交流電圧を、図３（ｂ）はデューティ比の制限値であり、図２（ｂ）に示すように、デューティ比の制限値は、交流電源１の電圧の絶対値が高いほど低い値に設定される。
【００４１】
本発明のように正弦波状の入力電圧を直流電圧に変換する直流電源装置において、ＰＷＭ制御におけるデューティ比は、一般に、交流電源１の瞬時電圧の絶対値をＶａｃ、直流電圧をＶｄｃ（一定）とすると、入力電流の大きさに寄与するデューティ比の割合は非常に小さいことからこれを無視して、デューティ比Ｄは、ＶｄｃおよびＶａｃを用いて、Ｄ＝１−Ｖａｃ／Ｖｄｃによって与えられる。
【００４２】
したがって、直流電源装置が実際に使用される入出力条件より、直流電圧Ｖｄｃの最大値および交流電源１の電圧実効値の最小値に対して各々設計マージンを持たせて設定された直流電圧Ｖｄｃｍａｘおよび交流電圧の実効値Ｖａｃｍｉｎを用いて、（数１）により、予めデューティ比の制限値Ｄｍａｘ（θ）を交流電源１の電圧位相θ毎に算出し、デューティ比制限値記憶部１４ａに記憶しておく。
【００４３】
【数１】
2010273490.tif 000003
【００４４】
なお、（数１）では、Ｖａｃについては下側のマージンを考慮してＶａｃｍｉｎを、Ｖｄｃについては上側のマージンを考慮してＶｄｃｍａｘを設定することでＤｍａｘ（θ）を得る。
【００４５】
以下、本実施の形態１における直流電源装置の瞬時停電時における挙動について説明を行う。
【００４６】
図４は、本実施の形態１における直流電源装置の、瞬時停電時における挙動を示す図であり、交流電源１の交流電圧および入力電流の電流指令の変化の一例を図４（ａ）に、同ＰＷＭ制御におけるデューティ比の変化およびその制限値を図４（ｂ）に示す。
【００４７】
一般に、従来の直流電源装置においては、図４（ａ）に示すように時刻Ｔ１において停電状態となった場合、交流電源１からの入力電流は流れなくなるため、電流制御部１３は、入力電流を増加させようとデューティ比を増加させる。しかしながら、停電状態のため、入力電流はゼロの状態で維持されるため、結果、復電までの間、デューティ比は増加し続け、停電期間によっては、やがて最大値（１００％）で飽和してしまう（例えば図４（ｂ）のＰ→Ｑ）。
【００４８】
その後、時刻Ｔ２で復帰した場合、ＰＷＭ制御デューティ比は、本来必要なデューティ比に比べてはるかに大きなデューティ比となっていることから、図４のように、特に交流電源のピーク電圧位相付近において復電した場合には、交流電源１の電圧が大きいために、スイッチング手段４に過大な電流が流れてしまう恐れがあった。
【００４９】
一方、本実施の形態１における直流電源装置は、交流電圧位相ごとに予め定められたデューティ比の制限値によって実際にスイッチング手段４に出力されるＰＷＭ制御のデューティ比を制限する。
【００５０】
さらに前記電圧位相検出手段は、前記二値信号の周期が所定の範囲から外れた場合に、最後に交流電源の電圧位相を推定した時刻Ｔ０からの経過時間と、時刻Ｔ０以前に得られた交流電源の周期とを用いて、交流電源の電圧位相の推定を継続して行う。これによって、停電時においても、交流電源１の電圧位相を推定することが可能であり、停電からの復帰時における電圧位相を常時推定することができる。
【００５１】
上記デューティ比の制限値は、交流電源１の電圧の絶対値が高いほど低く設定されているため、図４（ｂ）に示すように、入力電流がゼロになっても、ＰＷＭ制御におけるデューティ比は、時刻Ｔ３以降はその制限値に沿って変化する（図４（ｂ）の点Ｐ→Ｒ）。
【００５２】
そのため、交流電源１のピーク電圧位相において復電した場合においても過大なデューティ比となることがなく、復電時にスイッチング手段４に過大な電流が流れるのを防止することができる。
【００５３】
なお、前記電圧位相検出手段９ｂにおける停電時の電圧位相の推定精度は、制御手段８
におけるタイマ演算精度によって決まるため、前記二値信号の周期が所定の範囲から外れた状態（電源周期から大きく外れた状態）が、所定時間を超えて継続し、累積誤差による影響が無視できないほど停電状態が継続した場合には、前記スイッチング手段４のスイッチング動作を停止することで、スイッチング手段４に過大な電流が流れるのを確実に防止する。
【００５４】
さらに、本実施の形態における直流電源装置は、デューティ比制限値演算部１４ｂにおいて、デューティ比の制限値を目標電圧に応じて補正してもよい。
【００５５】
すなわち、上述の（数１）から分かるように、ＰＷＭ制御におけるデューティ比は、目標電圧が高くなるほど大きな値が必要となる。したがって、（数１）に基づいて目標電圧ごとに各電圧位相に対応したデューティ比の計算結果を予めデューティ比制限値記憶部１４ａに記憶しておき、負荷７の状態等によって外部から指示される目標電圧と、交流電源１の電圧位相に応じてデューティ比を決定する。
【００５６】
上記デューティ比の制限値の補正によって、目標電圧の変動幅に相当するデューティ比の変動分だけ設計マージンを小さく設定することができるので、交流電源１のすべての交流位相におけるデューティ比をさらに小さな値にて制限することができ、復電時に流れる可能性のある電流値をさらに低く抑制することができる。
【００５７】
なお、制御手段８の演算能力に余裕がある場合には、デューティ比制限値演算部１４ｂにおいて、上記デューティ比の制限値を（数１）の計算式にて都度、直接計算することによって補正演算を行い、デューティ比制限値記憶部１４ａの記憶容量を削減することも可能である。
【００５８】
逆に、制御手段８の演算能力に余裕がない場合には、上記デューティ比の制限値を、交流電源１のゼロクロス付近で最も大きく、交流電源の電圧がピークとなる電圧位相付近において最も小さな値となるように、電圧位相θ毎に予め階段状に設定した数値テーブルをデューティ比制限値記憶部１４ａに記憶させておき、数値テーブルを用いて電圧位相θに応じたディーティ比の制限値を決定することで、本発明同様の効果を簡略的に得ることも可能である。
【００５９】
また、本実施の形態における直流電源装置の構成は、図１に示したように、整流回路５の交流入力側においてリアクタ２を介して交流電源１を短絡する回路構成にて説明を行っているが、本発明における作用は、図５（ａ）および図５（ｂ）に示すような別の回路構成においても、同様の効果を奏することは言うまでもない。
【産業上の利用可能性】
【００６０】
以上のように、本発明にかかる直流電源装置は、停電からの復帰の際に、いかなる電圧位相で復帰した場合においてもスイッチング素子に過大な電流を流すことなく、復電時に速やかに直流電圧を回復させることができるので、冷蔵庫、洗濯機、ヒートポンプ給湯機など、交流電源からの交流電圧をいったん直流電圧に変換して負荷へ電力供給するほぼすべての電化製品への用途に適用できる。
【符号の説明】
【００６１】
１  交流電源
２  リアクタ
３  入力電流検出手段
４  スイッチング手段
７  負荷
８  制御手段
９  電圧位相検出手段
９ａ  ゼロクロス検出回路
９ｂ  電圧位相推定部
１０  出力電圧検出手段
１１  電圧制御部
１３  電流制御部
１７  二値信号
１８  比較電圧
【図１】
2010273490.tif 000004
【図２】
2010273490.tif 000005
【図３】
2010273490.tif 000006
【図５】
2010273490.tif 000007
【図６】
2010273490.tif 000008
【図４】
2010273490.tif 000009